(57)【要約】【課題】  浮島型の表示器の固定信頼性を向上させることができる計器を提供する。【解決手段】  指針２０と、指針２０が指示する指標部３１を有する表示板３０と、表示板３０の前方に配置される表示器４０と、表示板３０を露出する表示板側開口５１と、表示器４０を露出する表示器側開口５２と、を有する見返し部材５０と、見返し部材５０と一体的に形成され、表示板３０を透視可能に表示板側開口５１を覆う透視部材６０と、見返し部材５０に固定され、表示器４０を後方で支持する裏カバー７０と、を備える。表示器４０は、見返し部材５０及び裏カバー７０に挟まれることにより固定された。【選択図】図２
2019132598.tif 000002
【特許請求の範囲】
【請求項１】
指針と、
前記指針が指示する指標部を有する表示板と、
前記表示板の前方に配置される表示器と、
前記表示板を露出する表示板側開口と、前記表示器を露出する表示器側開口と、を有する見返し部材と、
前記見返し部材と一体的に形成され、前記表示板を透視可能に前記表示板側開口を覆う透視部材と、
前記見返し部材に固定され、前記表示器を後方で支持する裏カバーと、を備え、
前記表示器は、前記見返し部材及び前記裏カバーに挟まれることにより固定されたことを特徴とする計器。
【請求項２】
前記表示器は、前記表示器側開口を形成する前記見返し部材の周縁部に対して、固定されたことを特徴とする請求項１記載の計器。
【請求項３】
前記周縁部は、前記表示器の外縁と対向する表示器固定用端面と、前記表示器固定用端面よりも外周側に設けられ、前記裏カバーの外縁と対向する裏カバー固定用端面と、を有し、
前記表示器は、前記表示器の外縁において前記表示器固定用端面に固定され、
前記裏カバーは、前記裏カバーの外縁において前記裏カバー固定用端面に固定されたことを特徴とする請求項２記載の計器。
【発明の詳細な説明】
【技術分野】
【０００１】
本発明は、車両などに搭載される計器に関する。
【背景技術】
【０００２】
車両は、車両の速度やエンジン回転数、車両の状態などを表示する計器を有している。例えば、特許文献１には、指針が指示する指標部を有する表示板と、この表示板の前方に配置される表示器と、を有する計器が知られている。
【先行技術文献】
【特許文献】
【０００３】
【特許文献１】特開２００３−３４４１１８号公報
【発明の概要】
【発明が解決しようとする課題】
【０００４】
表示器は表示板の前方に配置されているため、回路基板やケースなどに直接固定されることなく、浮島型に配置されている。このため、走行時などに発生した車両の振動が計器に伝わると、浮島型の表示器が不安定な状態となり、表示器の固定信頼性が低下する恐れがある。
【０００５】
本発明はこのような事情を考慮してなされたもので、浮島型の表示器の固定信頼性を向上させることができる計器を提供することを目的とする。
【課題を解決するための手段】
【０００６】
本発明に係る計器は、上述した課題を解決するために、指針と、前記指針が指示する指標部を有する表示板と、前記表示板の前方に配置される表示器と、前記表示板を露出する表示板側開口と、前記表示器を露出する表示器側開口と、を有する見返し部材と、前記見返し部材と一体的に形成され、前記表示板を透視可能に前記表示板側開口を覆う透視部材と、前記見返し部材に固定され、前記表示器を後方で支持する裏カバーと、を備え、前記表示器は、前記見返し部材及び前記裏カバーに挟まれることにより固定されたことを特徴とする。
【発明の効果】
【０００７】
本発明に係る計器においては、浮島型の表示器の固定信頼性を向上させることができる。
【図面の簡単な説明】
【０００８】
【図１】本発明に係る計器の実施形態であり、計器の全体構成を説明する正面図。
【図２】図１のII−II線に沿う断面図。
【発明を実施するための形態】
【０００９】
本発明に係る計器の実施形態を添付図面に基づいて説明する。本発明に係る計器は、例えば二輪車や自動車などの車両や、船舶、農業機械、建設機械に搭載される。本発明に係る計器は、特に走行時の振動の影響を受けやすい二輪車に搭載され場合に効果を奏する。
【００１０】
図１は、本発明に係る計器の実施形態であり、計器１の全体構成を説明する正面図である。
【００１１】
図２は、図１のII−II線に沿う断面図である。
【００１２】
以下の説明において、「前方」は、図１における手前側及び図２における左側であり、視認者に視認される側を意味する。「後方」は、図１における奥側及び図２における右側を意味する。
【００１３】
計器１は、回路基板１０と、指針２０と、表示板３０と、表示器４０と、見返し部材（覆い部材）５０と、透視部材６０と、裏カバー７０と、ケース８０と、を有している。
【００１４】
回路基板１０は、例えばガラスエポキシ系基材に配線パターン（図示せず）を施した硬質回路基板からなる。本実施形態においては、回路基板１０は、表示板３０の後方に配置され、見返し部材５０を固定する固定部材として機能する。回路基板１０は、指針駆動部１１と、表示器用光源１２と、指標用光源１３と、を有している。また、回路基板１０は、指針駆動部１１、表示器用光源１２、及び指標用光源１３の駆動及び制御を行う駆動手段や、例えば抵抗、コンデンサ等の各種回路部品を有している。駆動手段及び回路部品は、配線パターンに導通接続されている。
【００１５】
指針駆動部１１は、可動磁石式計器またはステッピングモータからなる。指針駆動部１１は、回路基板１０の後方に設けられており、後方から回路基板１０を貫通する回転軸１４を有している。指針駆動部１１は、半田付け等の導通手段により配線パターン（駆動手段）に電気接続される。
【００１６】
表示器用光源１２は、表示器４０をバックライト照明する光源であり、例えば橙色を発するＬＥＤからなる。表示器用光源１２は、導光部材４２の入光部４２ｂと対向するように配置され、導光部材４２内に光を供給する発光体である。指標用光源１３は、表示板３０を照明する光源であり、例えば白色光を発するＬＥＤ（Light Emitting Diode）からなる。指標用光源１３は、中ケース８１内に複数個配置され、指標部３１を白色に発光させる発光体である。
【００１７】
指針２０は、回転軸１４の先端側に装着され、回転軸１４にて回転駆動される。指針２０の回転中心Ｒの前面及び側面は、キャップ２１により覆われている。
【００１８】
表示板３０は、指針２０が指示する指標部３１を有する。表示板３０は、指針２０の回転軌道に沿った円弧形状を有している。表示板３０は、指標部３１と、背景部３２と、基材３３と、を有している。指標部３１は、指針２０の指示対象となる目盛３１ａ、数字３１ｂからなる。背景部３２は、指標部３１の背景を形成する。指標部３１及び背景部３２は、基材３３の前面に、スクリーン印刷等の手段を用いて形成された印刷層である。指標部３１は、白色系の透過性インクにより形成されている。背景部３２は、黒色系の遮光性インクにより形成されている。基材３３は、透過性合成樹脂からなる薄板である。
【００１９】
表示器４０は、表示板３０及び回路基板１０の前方側に配置されている。表示器４０は、見返し部材５０及び裏カバー７０に挟まれることにより固定されている（詳細は後述）。表示器４０の一部は、キャップ２１や指針２０の回転中心Ｒ近傍を覆うように、表示板３０の前方に延びている。表示器４０は、表示素子４１と、導光部材４２と、を有している。
【００２０】
表示素子４１は、見返し部材５０の表示器側開口５２に臨むように配置されている。表示素子４１は、例えば液晶表示素子であり、車両が有する各種センサ等の検出信号（電気信号）に基づいて、車両の走行距離や燃料消費、外気温、時刻等の所定情報を表示する。
【００２１】
導光部材４２は、表示器用光源１２から表示素子４１に至る照明経路中に配置されている。導光部材４２は、透光性の例えばアクリル樹脂からなり、断面略「Ｌ」字形状を有している。導光部材４２は、本体部４２ａと、入光部４２ｂと、反射部４２ｃと、を有している。本体部４２ａは、表示素子４１の背面に沿って板状に形成されている。入光部４２ｂは、本体部４２ａの一端から本体部４２ａと直交するよう後方（回路基板１０方向）に伸び、表示器用光源１２からの光を受光する。反射部４２ｃは、本体部４２ａと入光部４２ｂとの接続箇所の外側に設けられている。反射部４２ｃは、入光部４２ｂから入光した光を反射し、本体部４２ａ側に導光する。
【００２２】
見返し部材５０は、黒色系の合成樹脂からなり、前後方向に一定の幅を有する円環状に形成されている。見返し部材５０は、表示板３０を露出する表示板側開口５１と、表示器４０（表示素子４１）を露出する表示器側開口５２と、を有している。すなわち、見返し部材５０は、視認者に視認させる表示器４０及び表示板３０の領域を露出させ、それ以外の領域を遮蔽している。表示板側開口５１は、円弧形状を有している。表示器側開口５２は、半円形状を有している。表示器側開口５２は、見返し部材５０の周縁部５３により形成されており、特に、周縁部５３の内周縁５３ａにより規定されている。なお、周縁部５３の外周縁５３ｂは、表示板側開口５１の内側の境界を規定している。
【００２３】
周縁部５３は、表示器固定用端面５５と、裏カバー固定用端面５６と、を有している。表示器固定用端面５５は、周縁部５３の内周縁５３ａの全周に亘って設けられており、表示器４０の外縁４１ａ（表示素子４１の外縁）と対向する面である。裏カバー固定用端面５６は、表示器固定用端面５５よりも周縁部５３における外周側であって裏カバー７０に臨む領域に設けられており、裏カバー７０の外縁７１ａ（保持部材７１の外縁）と対向する面である。裏カバー固定用端面５６は、裏カバー７０の前後方向の位置に応じて設計され、表示器固定用端面５５よりも後方に突出して設けられている。
【００２４】
透視部材６０は、透明または半透明からなる板状部材であり、表示板３０を透視可能に表示板側開口５１を覆っている。透視部材６０は、インサート成形等の手段を用いて見返し部材５０と一体成形されることにより、見返し部材５０に一体的に形成されている。
【００２５】
裏カバー７０は、例えば白色の合成樹脂からなる。裏カバー７０は、回路基板１０（固定部材）及び見返し部材５０に固定され、表示器４０を後方で支持している（詳細は後述）。裏カバー７０は、導光部材４２内の光を効率的に表示素子４１側に反射させるための反射板としての機能も有している。裏カバー７０は、断面略Ｌ字状に成形されており、保持部７１と、基部７２と、を有している。
【００２６】
保持部７１は、導光部材４２の背面に面した板状であり、表示器４０を保持（支持）する。保持部７１は、正面視で表示器４０の外縁４１ａから外周方向へ突出した外縁７１ａを有している。外縁７１ａは、見返し部材５０の裏カバー固定用端面５６と対向しており、裏カバー固定用端面５６（見返し部材５０）に両面粘着テープ９０ａにより固定されている。両面粘着テープ９０ａは、視認者から視認しづらい黒やグレーなどの暗色であるのが好ましい。また、両面粘着テープ９０ａは、表示器４０の振動を吸収するため弾性を有することが好ましい。後述する表示器４０を固定するための両面粘着テープ９０ｂについても同様である。基部７２は、回路基板１０から指針２０前面側まで垂直に立ち上がり、表示器４０の計器１における前後方向の位置を規定している。基部７２の端部７２ａは、回路基板１０にビス等の手段を用いて強固に固定されている。
【００２７】
ケース８０は、中ケース８１と、上ケース８２と、下ケース８３と、を有している。
【００２８】
中ケース８１は、例えば白色の合成樹脂からなる。中ケース８１は、表示板３０を保持する保持部材としての機能、指標用光源１３を収納するハウジングとしての機能、及び指標用光源１３の光を前方側に反射する反射部材としての機能を有している。
【００２９】
上ケース８２および下ケース８３は、例えば黒色の合成樹脂からなる。上ケース８２および下ケース８３は、嵌合されることにより内部空間を形成し、この内部空間に回路基板１０、表示板３０、表示器４０、見返し部材５０等の計器１の構成要素を収容する。上ケース８２は、前方に開口８３ａを有している。開口８３ａは、前面パネル８３ｂにより覆われている。前面パネル８３ｂは、後方を透視可能な、透明または半透明からなる板状部材である。
【００３０】
次に、表示器４０を固定するための構造について説明する。
【００３１】
上述したとおり、表示器４０は、見返し部材５０及び裏カバー７０に挟まれることにより固定されている。具体的には、表示器４０は、外縁４１ａが見返し部材５０の表示器固定用端面５５と対向しており、両面粘着テープ９０ｂにより、外縁４１ａにおいて表示器固定用端面５５に固定されている。また、裏カバー７０は、外縁７１ａが見返し部材５０の裏カバー固定用端面５６と対向しており、両面粘着テープ９０ａにより、外縁７１ａにおいて裏カバー固定用端面５６に固定されている。裏カバー７０の保持部７１は、導光部材４２と対向して配置されていることから、表示器４０は、見返し部材５０と裏カバー７０とに挟まれて確実に固定されている。
【００３２】
また、見返し部材５０は、透視部材６０と一体成形されていることから、透視部材６０と一体成形されていない場合に比べて、振動に対して高い剛性を得ることができる。さらに、見返し部材５０及び裏カバー７０は、ともに固定部材としての回路基板１０に固定されているため、表示器４０は安定して挟まれている。このため、見返し部材５０及び裏カバー７０に挟まれ固定された表示器４０に伝わる振動を好適に低減させることができる。この結果、表示板３０の前面側に浮島型に配置された表示器４０の固定信頼性を向上させることができる。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３４】
例えば、両面粘着テープ９０ａ、９０ｂは、フック、ビス等他の固定手段であってもよい。
【００３５】
表示素子４１は、有機ＥＬ（Electro-Luminescence）パネルなど、液晶表示素子以外の表示素子であってもよい。
【００３６】
回路基板１０を例として説明した固定部材は、ケース８０であってもよい。
【符号の説明】
【００３７】
１  計器
１０  回路基板
１１  指針駆動部
１２  表示器用光源
１３  指標用光源
１４  回転軸
２０  指針
２１  キャップ
３０  表示板
３１  指標部
３１ａ  目盛
３１ｂ  数字
３２  背景部
３３  基材
４０  表示器
４１  表示素子
４２  導光部材
４２ａ  本体部
４２ｂ  入光部
４２ｃ  反射部
５０  見返し部材
５１  表示板側開口
５２  表示器側開口
５３  周縁部
５５  表示器固定用端面
５６  裏カバー固定用端面
６０  透視部材
７０  裏カバー
７１  保持部
７２  基部
８０  ケース
８１  中ケース
８２  上ケース
８３  下ケース
８３ａ  開口
８３ｂ  前面パネル
９０ａ、９０ｂ  両面粘着テープ
【図１】
2019132598.tif 000003
【図２】
2019132598.tif 000004